(57)【要約】【課題】効率が向上した撮影装置及び撮影用照明装置を提供する。【解決手段】画像形成部（２０６）の結像面に対して被写体光を露光し、当該結像面の第１の方向（Ｙ）における一端から他端に向けて順次画像を形成する撮影装置（２００）を、撮影用の照明光を照射し、前記第１の方向に配列され且つそれぞれが独立して発光可能な複数の発光素子（２３１ａ〜２３１ｅ）を備える発光部（２３１）と、前記画像の形成を行う際に前記発光部を制御して前記複数の発光素子の一部であって前記結像面のうちの前記画像の形成を行っている領域に対応する領域を発光させ、前記画像の形成を行う領域の移動に連動させて前記発光部における発光領域を移動させる発光制御部（２２０）とを備え、前記発光制御部は、前記発光素子の一部を発光させる際、前記結像面のうちの前記画像の形成を行っている領域に対応する領域よりも広い領域を発光させる構成とした。【選択図】図４
2009294495.tif 000002
【特許請求の範囲】
【請求項１】
画像形成部の結像面に対して被写体光を露光し、当該結像面の第１の方向における一端から他端に向けて順次画像を形成する撮影装置であって、
撮影用の照明光を照射し、前記第１の方向に配列され且つそれぞれが独立して発光可能な複数の発光素子を備える発光部と、
前記画像の形成を行う際に前記発光部を制御して前記複数の発光素子の一部であって前記結像面のうちの前記画像の形成を行っている領域に対応する領域を発光させ、前記画像の形成を行う領域の移動に連動させて前記発光部における発光領域を移動させる発光制御部とを備え、
前記発光制御部は、前記発光素子の一部を発光させる際、前記結像面のうちの前記画像の形成を行っている領域に対応する領域よりも広い領域を発光させること
を特徴とする撮影装置。
【請求項２】
請求項１に記載の撮影装置において、
前記発光制御部は、前記結像面のうちの画像の形成を行う領域が第１の領域から第２の領域に移動する前に、前記複数の発光素子のうち前記第２の領域に対応する部分を予め発光させること
を特徴とする撮影装置。
【請求項３】
請求項１又は請求項２に記載の撮影装置において、
前記画像形成部として、被写体光を電気信号に変換して前記第１の方向の一端から他端に向けて順次出力する撮像素子を備えること
を特徴とする撮影装置。
【請求項４】
請求項１から請求項３までのいずれか１項に記載の撮影装置において、
前記画像形成部の結像面の入射方向手前側にスリットを形成し、当該スリットを前記第１の方向の一端から他端に向けて移動させるシャッタ装置を備えること
を特徴とする撮影装置。
【請求項５】
請求項１から請求項４までのいずれか１項に記載の撮影装置において、
前記発光部は、前記発光素子として発光ダイオードを備えること
を特徴とする撮影装置。
【請求項６】
画像形成部の結像面に対して露光される被写体光に基づいて当該結像面の第１の方向における一端から他端に向けて順次画像を形成する撮影装置に使用される撮影用照明装置であって、
撮影用の照明光を照射し、前記第１の方向に配列され且つそれぞれが独立して発光可能な複数の発光素子を備える発光部と、
前記撮影装置で前記画像の形成を行う際に前記発光部を制御して前記複数の発光素子の一部であって前記結像面のうちの前記画像の形成を行っている領域に対応する領域を発光させ、前記画像の形成を行う領域の移動に連動させて前記発光部における発光領域を移動させる発光制御部とを備え、
前記発光制御部は、前記発光素子の一部を発光させる際、前記結像面のうちの前記画像の形成を行っている領域に対応する領域よりも広い領域を発光させること
を特徴とする撮影用照明装置。
【発明の詳細な説明】
【技術分野】
【０００１】
本発明は、撮影装置及び撮影用照明装置に関するものである。
【背景技術】
【０００２】
カメラ等の撮影装置を用いて撮影を行う際に使用される撮影用照明装置としては、発光素子として発光ダイオードを備えるものが知られている（例えば、特許文献１参照）。
【特許文献１】特開２００５−１６７４０６号公報
【発明の開示】
【発明が解決しようとする課題】
【０００３】
ここで、撮影時に設定された露光時間が短い場合、シャッタ装置によってスリットが形成されるので、撮像素子やフィルムの結像面には、その全面に被写体光が露光されない。
しかし、このように結像面の一部がシャッタ装置によって遮られている場合であっても、撮影用照明装置は、結像面の当該遮られている領域に対応する被写体（撮影されない被写体）にも照明光を照射しており、効率が悪い。
本発明の課題は、効率が向上した撮影装置及び撮影用照明装置を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、画像形成部（６）の結像面に対して被写体光を露光し、当該結像面の第１の方向（Ｙ）における一端から他端に向けて順次画像を形成する撮影装置であって、撮影用の照明光を照射し、前記第１の方向に配列され且つそれぞれが独立して発光可能な複数の発光素子（３１ａ〜３１ｃ）を備える発光部（３１）と、前記画像の形成を行う際に前記発光部を制御して前記複数の発光素子の一部であって前記結像面のうちの前記画像の形成を行っている領域に対応する領域を発光させ、前記画像の形成を行う領域の移動に連動させて前記発光部における発光領域を移動させる発光制御部（２０）とを備え、前記発光制御部は、前記発光素子の一部を発光させる際、前記結像面のうちの前記画像の形成を行っている領域に対応する領域よりも広い領域を発光させることを特徴とする撮影装置（１００）である。
【０００５】
請求項２の発明は、請求項１に記載の撮影装置において、前記発光制御部（３２０）は、前記結像面のうちの画像の形成を行う領域が第１の領域から第２の領域に移動する前に、前記複数の発光素子のうち前記第２の領域に対応する部分を予め発光させることを特徴とする撮影装置（３００）である。
請求項３の発明は、請求項１又は請求項２に記載の撮影装置において、前記画像形成部として、被写体光を電気信号に変換して前記第１の方向（Ｙ）の一端から他端に向けて順次出力する撮像素子（６）を備えることを特徴とする撮影装置（１００）である。
請求項４の発明は、請求項１から請求項３までのいずれか１項に記載の撮影装置において、前記画像形成部（６）の結像面の入射方向手前側にスリットを形成し、当該スリットを前記第１の方向（Ｙ）の一端から他端に向けて移動させるシャッタ装置（４）を備えることを特徴とする撮影装置（１００）である。
請求項５の発明は、請求項１から請求項４までのいずれか１項に記載の撮影装置において、前記発光部（３１）は、前記発光素子として発光ダイオード（３１ａ〜３１ｃ）を備えることを特徴とする撮影装置（１００）である。
請求項６の発明は、画像形成部（６）の結像面に対して露光される被写体光に基づいて当該結像面の第１の方向（Ｙ）における一端から他端に向けて順次画像を形成する撮影装置に使用される撮影用照明装置であって、撮影用の照明光を照射し、前記第１の方向に配列され且つそれぞれが独立して発光可能な複数の発光素子（３１ａ〜３１ｃ）を備える発光部（３１）と、前記撮影装置で前記画像の形成を行う際に前記発光部を制御して前記複数の発光素子の一部であって前記結像面のうちの前記画像の形成を行っている領域に対応する領域を発光させ、前記画像の形成を行う領域の移動に連動させて前記発光部における発光領域を移動させる発光制御部（２０）とを備えることを特徴とする撮影用照明装置（１００）である。
なお、符号を付して説明した構成は、適宜改良してもよく、また、少なくとも一部を他の構成物に代替してもよい。
【発明の効果】
【０００６】
本発明によれば、効率が向上し且つ照明ムラの発生するおそれの少ない撮影装置及び撮影用照明装置を提供することができる。
【発明を実施するための最良の形態】
【０００７】
［第１実施形態］
以下、図面等を参照して、本発明を適用した撮影装置及び撮影用照明装置の実施形態であるカメラについて説明する。
図１は、第１実施形態のカメラの構成を示すブロック図である。
【０００８】
カメラ１００は、撮影レンズ１を介して被写体像をＣＣＤ等の撮像素子６に結像させる。
撮影レンズ１は、焦点を合わせるフォーカシングレンズｌａ及び絞り１ｂを含んでいる。
フォーカスレンズ１ａには、フォーカス制御回路２が接続されており、フォーカス制御回路２はフォーカスレンズ１ａを駆動して焦点を合わせる。
絞り１ｂには、絞り制御回路３が接続されており、絞り制御回路３は絞り１ｂを駆動して撮影レンズ１を通過する光量を調整する。
【０００９】
撮像素子６は、撮影レンズ１によって結像された像を電気信号に変換する。
撮像素子６には、撮像制御回路７と映像回路８が接続されている。
撮像制御回路７は、撮像素子６を駆動して、露光時間制御、結像された像の電気信号への変換、変換した電気信号の出力等を制御する。
映像回路８は、撮像素子６の出力する電気信号を増幅し、デジタル信号に変換して制御部２０に出力する。
【００１０】
撮像素子６の入射面側には、シャッタ４が配置されている。シャッタ４には、シャッタ制御回路５が接続されており、シャッタ制御回路５はシャッタ４を駆動して露光時間を制御する。シャッタ４は、先幕と後幕とを備えた公知のフォーカルプレンシャッタであり、先幕及び後幕の走行開始のタイミングを制御することによって、撮像素子６の結像面の全面を露出させる全面露光や、スリット露光を行うことができるようになっている。スリット露光とは、先幕の走行完了前に後幕の走行を開始させることによって先幕の後端部と後幕の先端部とでスリットを形成し、結像面の一部にのみ被写体光の露光を行う露光方法である。
【００１１】
不揮発性メモリ９は、制御部２０に接続されており、制御部２０が動作するプログラム、撮影データが格納されている。
バッファーメモリ１０は、撮影データを一時的に格納し、画像処理過程のデータ、画像処理後のデータ、画像圧縮後のデータ、さらに、制御部２０のその他処理過程の一次記録に使用される。
【００１２】
メモリ制御回路１１は、メモリ１２が抜き差し可能な構造となっており、撮影画像ファイルをメモリ１２に転送、記録する。また、メモリ制御回路１１は、メモリ１２に記録されている画像ファイル等の情報を読み取り、制御部２０に出力する。
操作検出回路１３には、電源スイッチ、レリーズスイッチ、ＬＥＤ照明光量調整スイッチ等の操作スイッチ（１３ａ、１３ｂ、１３ｃ・・・）が接続されており、ユーザがカメラ１００を操作すると操作スイッチが作動し、操作検出回路１３から制御部２０に操作情報が伝達される。
【００１３】
モニタ制御回路１４は、ＬＣＤ等のモニタ１５が接続されており、制御部２０より出力された表示データをモニタ１５に出力すると共に、モニタ１５の点灯、消灯、表示制御を行い、モニタ１５上に画像等を表示させる。
【００１４】
制御部２０は、不揮発性メモリ９に格納されたプログラムに従ってカメラ１００の動作を制御すると共に、撮影された画像の処理、再生を行う。
制御部２０は操作スイッチの操作に応答し、電源の投入、消灯やフォーカス制御回路２を作動させてのフォーカシング、絞り制御回路３やシャッタ制御回路５を作動させての露出制御、撮像制御回路７を作動させてＣＣＤの駆動を行い、映像回路８からデジタル化した撮像素子出力を入力し、バッファーメモリ１０を使用して画像処理、圧縮してメモリ１２に記録する。また、メモリ１２に記録された画像ファイルを呼び出した画像ファイル、撮影した画像ファイル、撮影準備段階の撮像素子出力（スルー画）を、バッファーメモリを使用してモニタ１５に表示する。
【００１５】
撮影準備段階に於いてはシャッタ４を開放にし、撮影レンズ１を透過した光を撮像素子６に結像させる。
撮像素子６に結像した被写体像は制御部２０によって周期的に画像処理され、被写体を動画的にモニタ１５に映し出す。
同時に、制御部２０によって、画像のコントラストを検出し、フォーカスレンズ１ａを移動させ、最もコントラストの高いフォーカスレンズ位置を検索し、その位置にフォーカスレンズを移動させる事でオートフォーカスを行う。また、画像の輝度レベルを検出し、検出した輝度レベルから絞り１ｂとシャッタ速度（露光時間）を制御して自動露出制御を行う。
【００１６】
ＬＥＤ駆動回路３０は、制御部２０からの指示信号に応じて発光部３１に備えられた発光ダイオード（ＬＥＤ）を点灯、消灯させ、撮影時に点灯して被写体を照明する。発光部３１の点灯は、その他に、セルフタイマ使用時、赤目防止用照明、撮影前の測光時にも行われる。発光部３１は、ＬＥＤが発光する照明光を拡散する拡散板３２を備えている。
【００１７】
ここで、撮像素子６及び発光部３１の構造について説明する。
図２（ａ）及び（ｂ）は、図１に示すカメラに備えられた撮像素子の結像面及び発光部の発光面をそれぞれ模式的に示す図である。
図２（ａ）に示すように、撮像素子６の結像面は、撮像素子６を被写体側からみた正面視で長方形に形成され、その長手方向は、カメラ１００を通常の撮影位置にしたときに略水平となる。以下、水平方向にＸ軸、鉛直方向にＹ軸が設定された２次元座標系を用いて説明する。
【００１８】
本実施形態のカメラ１００において、シャッタ４に備えられた先幕及び後幕の走行方向は、図２におけるマイナスＹ軸方向（撮像素子６の上端部側から下端部側）であり、スリット露光を行う際、撮像素子６に対する被写体光の露光は、結像面の上端部に形成される領域Ａから結像面の中間部分に形成される領域Ｂを経て、結像面の下端部に形成される領域Ｃへと順番に行われる。
【００１９】
発光部３１は、発光素子として複数のＬＥＤを備えている。複数のＬＥＤは、撮像素子６の結像面と略相似形の発光面を形成している。複数のＬＥＤは、Ｘ軸方向及びＹ軸方向に略均等な間隔でマトリクス状に配置されている。本実施形態の発光部３１は、Ｘ軸方向に、例えば、５個、Ｙ軸方向に、例えば、３個（合計１５個）のＬＥＤを備えている。以下、図２（ｂ）に示すように、結像面の領域Ａに対応する５個のＬＥＤ群をＬＥＤ３１ａと称する。また、結像面の領域Ｂ、Ｃにそれぞれ対応する５個のＬＥＤ群を、それぞれＬＥＤ３１ｂ、３１ｃと称する。
【００２０】
次に本実施形態の制御部２０が行う発光部３１の発光制御について説明する。
制御部２０は、設定されたシャッタ速度（露光時間）が比較的長く、前述した全面露光を行う場合には、シャッタ４の先幕の走行開始と略同時に全てのＬＥＤを略同時に発光させ、後幕の走行完了と略同時に、これらのＬＥＤの発光を終了させる。
これに対し、設定されたシャッタ速度（露光時間）が比較的短く、前述したスリット露光を行う場合には、複数のＬＥＤのうち、結像面に被写体光（被写体からの反射光）の露光を行なっている領域に対応した領域のみを発光させる制御を行う。すなわち、本実施形態の発光部３１は、撮像素子６の結像面に露光している被写体に対して、ピンポイントで照明光を照射するようになっている。そして、スリットが走行することによって結像面の露光領域が移動するのに対応して発光領域を移動させるようになっている。
【００２１】
以下、制御部２０がスリット露光時に行う発光制御の一例を説明する。
図３は、図１に示すカメラに備えられた制御部がスリット露光時に行う発光制御のタイミングチャートである。
図４は、図２に示す撮像素子と発光部との関係を示す図である。
【００２２】
〈時間Ｔ１：先幕走行開始〉
撮影者等によってレリーズスイッチがオン操作されると、制御部２０は、これに応じてシャッタ制御回路５を制御し、シャッタ４の先幕の走行を開始させる。シャッタ制御回路５は、先幕トリガ信号Ａを制御部２０に発信する。
制御部２０は、先幕トリガ信号Ａを検出すると、これに応じて発光部３１に備えられた複数のＬＥＤのうち、図４（１）に示すように撮像素子６の領域Ａに対応するＬＥＤ３１ａを発光させる。このとき、ＬＥＤ３２ｂ、３２ｃは、発光を行わない。
〈時間Ｔ１〜Ｔ２：先幕走行中〉
先幕が走行を開始すると、撮像素子６は、結像面のうち領域Ａの一部が露出し（図４（２）参照）、当該露出した領域に被写体光が露光される。撮像素子６は、被写体光の蓄積を開始し、これを電気信号（電荷）に変換して出力する。
【００２３】
〈時間Ｔ２：先幕が領域Ｂに到達〉
先幕の走行開始から予め設定されたシャッタ時間が経過すると（本実施形態の場合、先幕の後端部Ｓ１が撮像素子の領域Ａと領域Ｂとの境界部に達したとき）、制御部２０は、先幕と併せて後幕の走行を開始させる。シャッタ４は、先幕と後幕とが同時に走行することによって、先幕の後端部Ｓ１と後幕の先端部Ｓ２とで撮像素子６の結像面の手前にスリットを形成する。
このとき、先幕の後端部Ｓ１は、結像面の領域Ａと領域Ｂとの境界部に達しており、シャッタ制御回路５は、これと同時に先幕トリガ信号Ｂを制御部２０に発信する。制御部２０は、先幕トリガ信号Ｂを検出すると、図４（３）に示すように、これに応じてＬＥＤ３１ａと併せてＬＥＤ３１ｂを発光させる。なお、時間Ｔ１〜Ｔ２では、ＬＥＤ３１ａのみの発光（１列発光）であったのに対し、時間Ｔ２では、ＬＥＤ３１ａ及びＬＥＤ３１ｂの発光（２列発光）を行うので、制御部２０は、時間Ｔ１〜Ｔ２のとき時間Ｔ２のときとで総発光量が変化しないようにＬＥＤ３１ａ及びＬＥＤ３１ｂに対する印加電流を制御する。
【００２４】
〈時間Ｔ２〜Ｔ３：先幕・後幕走行中〉
先幕の後端部Ｓ１が領域Ｂに対応する領域を、後幕の先端部Ｓ２が領域Ａに対応する領域を走行する。撮像素子６の結像面は、領域Ａの一部と領域Ｂの一部とがそれぞれ露出する（図４（４）参照）。発光部３１は、領域Ａに対応するＬＥＤ３１ａと領域Ｂに対応するＬＥＤ３１ｂとで被写体に照明光を照射する。
【００２５】
〈時間Ｔ３：先幕が領域Ｃに到達〉
先幕の後端部Ｓ１が領域Ｂと領域Ｃとの境界部に達し、後幕の先端部Ｓ２が領域Ａと領域Ｂとの境界部に達した状態である。先幕と後幕とが形成するスリットは、図４（５）に示すように、撮像素子６の結像面の領域Ｂを露出させている。
シャッタ制御回路５は、これに応じて先幕トリガ信号Ｃ及び後幕トリガ信号Ａを発信する。
制御部２０は、先幕トリガ信号Ｃ及び後幕トリガ信号Ａを検出すると、これに応じて撮像素子６の結像面の領域Ａに対応するＬＥＤ３１ａを消灯させるとともに、領域Ｃに対応するＬＥＤ３１ｃを発光させる（図４（５）参照）。制御部２０は、ＬＥＤ３１ｂの発光を継続させるため、ＬＥＤ３１ｂ及びＬＥＤ３１ｃの両方が発光を行う。
【００２６】
〈時間Ｔ３〜Ｔ４：先幕・後幕走行中〉
先幕の後端部Ｓ１が領域Ｃに対応する領域を、後幕の先端部Ｓ２が領域Ｂに対応する領域をそれぞれ走行している。撮像素子６の結像面は、領域Ｂの一部と領域Ｃの一部とがそれぞれ露出する（図４（６）参照）。
【００２７】
〈時間Ｔ４：先幕走行終了〉
先幕の走行が終了し、後幕の先端部Ｓ２が領域Ｂと領域Ｃとの境界部に達した状態である。シャッタ制御回路５は、これに応じて後幕トリガ信号Ｂを発信する。先幕と後幕とが形成するスリットは、撮像素子６の結像面の領域Ｃを露出させている。
制御部２０は、後幕トリガ信号Ｂを検出すると、これに応じて撮像素子６の結像面の領域Ｂに対応するＬＥＤ３１ｂを消灯させ、ＬＥＤ３１ｃにのみ発光を行わせる（図４（７）参照）。
【００２８】
〈時間Ｔ４〜Ｔ５：後幕のみ走行〉
後幕の先端部Ｓ２が領域Ｃに対応する領域を走行する。撮像素子６の結像面は、領域Ｃの一部が露出する（図４（８）参照）。
【００２９】
〈時間Ｔ５：後幕走行終了〉
後幕の走行が終了した状態である。シャッタ制御回路５は、これに応じて後幕トリガ信号Ｃを発信する。制御部２０は、後幕トリガ信号Ｃを検出すると、これに応じて図４（９）に示すようにＬＥＤ３１ｃを消灯させ、撮影動作を終了する。
【００３０】
なお、発光部３１の発光制御を行う際、どのＬＥＤを発光させるかは、スリットの幅（露光時間）に応じて適宜変更が可能である。例えば、スリットが上述した例よりも広く、先幕の後端Ｓ１が領域Ｃを走行しているときに後幕の先端Ｓ２が領域Ａを走行する場合（結像面の領域Ａ〜Ｃの全てが露出する場合）は、ＬＥＤ３１ａ〜３１ｃの全てを発光させればよい。また、例えば、スリットの幅が上述した例よりも狭い場合（露光時間が短い場合）であっても、上記と同様の制御を行うことができる。
【００３１】
以上説明した第１実施形態のカメラ１００によれば、以下の効果を得ることができる。
（１）シャッタ４が形成するスリットの走行中に全てのＬＥＤを発光させる場合、被写体光がシャッタ４に遮られているにも関わらず、被写体の全体を常時照明しているので、エネルギー効率が悪い。これに対し、本実施形態の発光部３１は、複数のＬＥＤのうち、撮像素子６の結像面が露出している領域、すなわち、撮像素子６が被写体光の蓄積を行っている領域に対応するＬＥＤのみを発光させるので、エネルギーを発光を行っている一部のＬＥＤにのみ供給することができ、効率が向上する。
（２）電池やコンデンサ等のエネルギーを一部のＬＥＤの発光に集中して用いることができるので、より強い発光輝度での発光が可能である。したがって、スリット露光を行う場合（シャッタ速度が高速）であっても十分な発光輝度で被写体を照射でき、鮮明な画像を撮影することができる。また、例えば、キセノンランプ等に比べて発光量が小さなＬＥＤであっても、十分な光量（発光輝度）で被写体を照射できる。
（３）一般的にＬＥＤは、指向性が強く、ひとつのＬＥＤのみで被写体の全体を照射すると、拡散板３２を使用しても被写体からの反射光にムラが生じる可能性があるが、本実施形態の発光部３１は、複数のＬＥＤをマトリクス状に配置したので、ムラ無く被写体を照射できる。
【００３２】
［第２実施形態］
次に、本発明を適用した撮影装置及び撮影用照明装置の第２実施形態について説明する。この第２実施形態及びその他の実施形態において、上述した第１実施形態と同様な機能を果たす部分には、同一の符号又は末尾に統一した符号を付して、重複する説明や図面を適宜省略する。
図５は、第２実施形態のカメラの構成を示す図である。
図６（ａ）及び（ｂ）は、図５に示すカメラに備えられた撮像素子の結像面及び発光部の発光面をそれぞれ模式的に示す図である。
【００３３】
第２実施形態のカメラ２００は、撮影レンズ２０１にズームレンズ１ｃが含まれている点が第１実施形態のカメラ１００と異なる。ズームレンズ１ｃには、ズーム駆動制御回路１６が接続されており、ズーム駆動制御回路１６は、ズームレンズ１ｃを駆動して撮影画角を変更する。
また、第２実施形態のカメラ２００では、発光部２３１と拡散板３２との間にズームレンズ３３が配置されている。ズームレンズ３３は、撮影レンズ２０１のズームレンズ１ｃに連動し移動し、発光部２３１の照射角度を変更するようになっている。
【００３４】
ここで、第２実施形態のカメラ２００は、第１実施形態のシャッタ４（フォーカルプレンシャッタ）に相当するものを備えておらず、被写体光は、常に撮像素子６の結像面の全面に露光される。第２実施形態の撮像素子２０６に含まれる個々の光電変換素子は、それぞれが個々に被写体光を電気信号に変換して出力（電荷転送）するものであるが、複数の光電変換素子によって形成されるブロック単位で電荷転送を任意のタイミングで行うことができるようになっている。すなわち、撮像素子２０６は、機械的なシャッタが設けられている場合と同様に、結像面に対する分割露光（スリット露光を含む）を行うことができる。本実施形態の撮像素子２０６は、撮影時において、結像面の上部から下部に向けて（図６（ａ）の領域Ａから領域Ｄに向けて）、第１実施形態と同様な電荷転送を行うようになっている。なお、このような撮像素子は、例えば、特開２００７−３２４６４９号公報に開示されている。
【００３５】
撮像素子６の結像面には、電荷転送を行う順番に４つの領域が形成されている。以下、これらの領域を電荷転送を行う順に領域Ａ〜Ｄと称する。
また、第１実施形態の発光部３１は、合計１５個（３×５）のＬＥＤを備えていたのに対し、第２実施形態の発光部２３１は、図６（ｂ）に示すように、合計２５個（５×５）のＬＥＤを備えている。そして、２５個のＬＥＤによって形成される発光面は、撮像素子６の結像面よりも上下方向及び左右方向に広く設定されている。以下、Ｘ軸に沿って配列された５個のＬＥＤ群を電荷転送を行う順にＬＥＤ１３１ａ〜１３１ｅと称して説明する。
【００３６】
図７は、第２実施形態のカメラに備えられた制御部が行う発光制御を示すタイミングチャートである。
第２実施形態のカメラ２００は、第１実施形態のカメラ１００と同様に、撮像素子２０６が電荷の転送を行っている領域に対応するＬＥＤを発光させる制御を行う。ただし、この第２実施形態では、図６に示すように、領域Ａに対応するＬＥＤは、１段目のＬＥＤ１３１ａ及び２段目のＬＥＤ１３１ｂなので、撮影開始（領域Ａの電荷転送開始）と略同時に、ＬＥＤ１３１ａ及びＬＥＤ１３１ｂの発光を行う。
以下、領域Ｂで電荷転送を行っている間は、ＬＥＤ１３１ｂとＬＥＤ１３１ｃを、領域Ｃで電荷転送を行っている間は、ＬＥＤ１３１ｃとＬＥＤ１３１ｄを、領域Ｄで電荷転送を行っている間は、ＬＥＤ１３１ｄとＬＥＤ１３１ｅをそれぞれ発光させる。
【００３７】
第２実施形態のカメラによれば、撮像素子６が電荷転送を行っている領域よりも広い領域に照明光を照射するので、この電荷転送を行っている領域に対応する被写体の全体に確実に照明光が届く。したがって、被写界の周辺において光量が低下することを防止でき、光量ムラ（照明ムラ）を抑制することができる。また、２５個のＬＥＤをマトリクス状に配置したので、例えば、撮影画角が狭い望遠撮影の場合、例えば、２〜４段目のＬＥＤ１３１ｂ〜ｄのみを発光させることができ、効率がよい。
【００３８】
［第３実施形態］
次に本発明を適用した撮影装置及び撮影用照明装置の第３実施形態であるカメラについて説明する。
第３実施形態のカメラ３００は、撮影時における照明光の発光制御が異なる以外、第１実施形態のカメラと実質的に同じ構成であるので、相違点についてのみ説明する。なお、カメラ３００の構成は、図１において括弧付きの数字を付して説明する。
【００３９】
第１実施形態のカメラ１００は、例えば、先幕の先端部が結像面に設定した領域の境界部に達したときに発光するＬＥＤを切り替えたが、第３実施形態のカメラ３００は、第１実施形態よりも早いタイミングでＬＥＤの発光を開始させる。
図７は、第３実施形態のカメラが行う発光制御を示すタイミングチャートである。
【００４０】
制御部３２０は、先幕の走行開始よりも時間ΔＴだけ早くＬＥＤ３１ａ（図２参照）を発光させる。また、ＬＥＤ３１ｂも、同様に第１実施形態よりもΔＴだけ早く発光を開始させる。すなわち、ＬＥＤ３１ｂは、先幕の後端部Ｓ１が領域Ａに対応する位置を走行している際に（領域Ａと領域Ｂとの境界部に到達する前に）発光を開始する。ＬＥＤ３１ｃについても同様である。
この第３実施形態のカメラ３００によれば、発光を開始してから所望の発光量となるまでに時間がかかる（立ち上がりが遅い）発光素子を発光部３１に用いる場合等に有効である。
【００４１】
［第４実施形態］
次に本発明を適用した撮影装置及び撮影用照明装置の第４実施形態であるカメラについて説明する。
第４実施形態のカメラ４００は、撮影時における照明光の発光制御が異なる以外、第２実施形態のカメラ２００と実質的に同じ構成であるので、相違点についてのみ説明する。なお、カメラ４００の構成は、図２において括弧付きの数字を付して説明する。
【００４２】
第４実施形態のカメラ４００は、第２実施形態と同様に、例えば、領域Ａが電荷転送を行っている間は、ＬＥＤ２３１ａとＬＥＤ２３１ｂとが発光を行う。そして、電荷転送を行う領域を領域Ａから領域Ｂに切り替える直前に、ＬＥＤの駆動デューティーを変化させてＬＥＤ２３１ａの発光量を時間の経過に応じてリニアに減少させる制御を行う。また、これと併せて、ＬＥＤ２３１ｃの発光を開始させる。このときのＬＥＤ２３１ｃの発光量は、時間の経過に応じてリニアに増加する。したがって、発光部２３１の全体の発光量自体は、変化しない。
【００４３】
撮像素子２０６は、領域Ａから領域Ｄに向けて電荷転送を行うが、領域Ａ内で電荷転送を行う場合であっても、領域Ａ内の上端部から下端部に向けて順番に行う。したがって、電荷転送を行う領域が領域Ａから領域Ｂに切り替わる直前において、ＬＥＤ２３１ａが照射する照明光は撮影にさほど寄与しない。第４実施形態のカメラ４００では、領域Ａでの電荷転送が終了する直前に、ＬＥＤ２３１ｃを次の領域Ｂの電荷転送に備えて発光させておくので、領域Ｂでの照射ムラを防止できる。
【００４４】
［第５実施形態］
次に本発明を適用した撮影装置及び撮影用照明装置の第５実施形態であるカメラについて説明する。
第５実施形態のカメラは、発光部に備えられたＬＥＤの形状、及び、個数が異なる。なお、第５実施形態のカメラは、図示を省略する。
図１０は、第５実施形態のカメラに備えられた発光部の構造を模式的に示す図である。
第１実施形態の発光部は、複数のＬＥＤがマトリクス状に配置されていたのに対し、本実施形態のＬＥＤは、シャッタの走行方向に直交する方向（Ｘ軸方向）に延在して形成されており、シャッタの走行方向（Ｙ軸方向）に沿って複数本が配列される。なお、これらのＬＥＤは、複数のＬＥＤチップをＸ軸方向に配列して形成したライン型のＬＥＤランプではなく、ひとつの素子としてライン型の形状をしているものである。
第５実施形態の発光部は、第１〜４実施形態の比べＬＥＤ（発光素子）の数が少ないのでコストダウンを図ることができ、かつ制御が容易である。
【００４５】
［変形形態］
本発明は、以上説明した実施形態に限定されることなく、以下に示すような種々の変形や変更が可能であって、これらも本発明の技術的範囲内に含まれる。
（１）発光部に備えられた発光素子の数や配置は、各実施形態に記載したものに限らず、適宜変更が可能である。また、発光素子もＬＥＤに限らず、他の発光素子を用いてもよい。
（２）実施形態のシャッタは、先幕、後幕の走行方向が結像面（撮像素子）の長手方向に直交する縦走り式のものであったが、これに限らず、結像面の長手方向に沿って走行する横走り式のものであってもよい。この場合であっても、結像面において被写体光を露光する領域の移動に連動させて、発光部における発光領域を移動させればよい。
（３）実施形態の発光部は、カメラに内蔵されたものであったが、これに限らず、カメラに着脱可能に装着されるクリップオン式の撮影用照明装置に備えられたものであってもよい。
（４）実施形態は、被写体光を電気信号に変換する撮像素子を備えたデジタルカメラであったが、これに限らず、銀塩フィルムに被写体像を形成するフィルムカメラであってもよい。
【図面の簡単な説明】
【００４６】
【図１】第１実施形態のカメラの構成を示すブロック図である。
【図２】図１に示すカメラに備えられた撮像素子の結像面及び発光部の発光面を示す図である。
【図３】図１に示すカメラが行う発光制御を示すタイミングチャートである。
【図４】図２に示す撮像素子の結像面と発光部の発光面との関係を示す図である。
【図５】第２実施形態のカメラの構成を示すブロック図である。
【図６】図５に示すカメラに備えられた撮像素子の結像面及び発光部の発光面を示す図である。
【図７】図５に示すカメラが行う発光制御を示すタイミングチャートである。
【図８】第３実施形態のカメラが行う発光制御を示すタイミングチャートである。
【図９】第４実施形態のカメラが行う発光制御を示すタイミングチャートである。
【図１０】第５実施形態のカメラに備えられた発光部を示す図である。
【符号の説明】
【００４７】
６  撮像素子  ：  ２０  制御部  ：  ３１  発光部  ：  ３１ａ〜３１ｃ  ＬＥＤ  ：  １００  カメラ
【図１】
2009294495.tif 000003
【図２】
2009294495.tif 000004
【図３】
2009294495.tif 000005
【図４】
2009294495.tif 000006
【図５】
2009294495.tif 000007
【図６】
2009294495.tif 000008
【図７】
2009294495.tif 000009
【図８】
2009294495.tif 000010
【図９】
2009294495.tif 000011
【図１０】
2009294495.tif 000012